(57)【要約】【課題】真のゼロクロス点が判定できる制御装置を提供する。【解決手段】  商用電源に接続され、商用電源の半波を利用してゼロクロス点近傍を検出するゼロクロス検出部と、ゼロクロス検出部が検出したゼロクロス信号を処理する制御部と、制御部が処理したゼロクロス信号に同期させて、商用電源で作動する負荷への電力供給を制御する負荷制御部と、を備え、制御部は、ゼロクロス検出部が検出した１周期目のゼロクロス信号の立ち上がりエッジである第１のゼロクロス点と、２周期目のゼロクロス信号の立ち上がりエッジである第３のゼロクロス点と、真のゼロクロス点からゼロクロス検出部が検出した第１のゼロクロス点までの遅れ時間とを演算することにより、真のゼロクロス点を判定する。【選択図】図２
2014182687.tif 000002
【特許請求の範囲】
【請求項１】
商用電源に接続され、前記商用電源の半波を利用してゼロクロス点近傍を検出するゼロクロス検出部と、
前記ゼロクロス検出部が検出したゼロクロス信号を処理する制御部と、
前記制御部が処理したゼロクロス信号に同期させて、前記商用電源で作動する負荷への電力供給を制御する負荷制御部と、を備え、
前記制御部は、前記ゼロクロス検出部が検出した１周期目のゼロクロス信号の立ち上がりエッジである第１のゼロクロス点と、
２周期目のゼロクロス信号の立ち上がりエッジである第３のゼロクロス点と、
真のゼロクロス点からゼロクロス検出部が検出した第１のゼロクロス点までの遅れ時間と、
を演算することにより、真のゼロクロス点を判定することを特徴とする制御装置。
【請求項２】
商用電源に接続され、前記商用電源の半波を利用してゼロクロス点近傍を検出するゼロクロス検出部と、
前記ゼロクロス検出部が検出したゼロクロス信号を処理する制御部と、
前記制御部が処理したゼロクロス信号に同期させて、前記商用電源で作動する負荷への電力供給を制御する負荷制御部と、を備え、
前記制御部は、前記ゼロクロス検出部が検出した１周期目のゼロクロス信号の立ち上がりエッジである第１のゼロクロス点と、
１周期目のゼロクロス信号の立ち下がりエッジである第２のゼロクロス点と、
２周期目のゼロクロス信号の立ち上がりエッジである第３のゼロクロス点と、
第１のゼロクロス点に近い真のゼロクロス点からゼロクロス検出部が検出した第１のゼロクロス点までの遅れ時間と、
ゼロクロス検出部が検出した第２のゼロクロス点から第２のゼロクロス点に近い真のゼロクロス点までの遅れ時間の比）と、
を演算することにより、真のゼロクロス点を判定することを特徴とする制御装置。
【請求項３】
商用電源に接続され、前記商用電源の半波を利用してゼロクロス点近傍を検出するゼロクロス検出部と、
前記ゼロクロス検出部が検出したゼロクロス信号を処理する制御部と、
前記制御部が処理したゼロクロス信号に同期させて、前記商用電源で作動する負荷への電力供給を制御する負荷制御部と、
前記制御部からの制御によりゼロクロスの信号を遮断するゼロクロス遮断部と、
室温を検出する室温センサ部と、を備え、
前記制御部は、前記室温センサ部の信号を検出し室温情報を処理し、
前記ゼロクロス検出部が検出した１周期目のゼロクロス信号の立ち上がりエッジである第１のゼロクロス点と、
２周期目のゼロクロス信号の立ち上がりエッジである第３のゼロクロス点と、
真のゼロクロス点からゼロクロス検出部が検出した第１のゼロクロス点までの遅れ時間とを演算し、さらに前記室温情報に基づき、真のゼロクロス点を判定することを特徴とする制御装置。
【発明の詳細な説明】
【技術分野】
【０００１】
本発明は、制御装置に関し、特にＡＣ負荷の制御を行うためにゼロクロス検出部を有する制御装置に関する。
【背景技術】
【０００２】
ＡＣ負荷の制御に商用電源のゼロクロスタイミングを使用する制御装置において、ゼロクロス検出部の消費電力を低減するために、商用電源の半波のみを利用してゼロクロス信号を取り込むゼロクロス検出手段がある（例えば、特許文献１参照）。
【０００３】
また、一方で、ＡＣ負荷の制御に商用電源のゼロクロスタイミングを使用する制御装置において、真のゼロクロスに近いゼロクロス信号を取り込むために、商用電源の全波を利用してゼロクロス点近傍にパルス幅ｔｗのパルス信号を出力させ、パルス信号のエッジからｔｗ／２経過したタイミングを真のゼロクロスに近いタイミングとして判定するゼロクロス検出手段がある（例えば、特許文献２参照）。
【０００４】
【特許文献１】特開２００９−１８９８９６
【特許文献２】特開平１０−１８６９０８
【発明の概要】
【発明が解決しようとする課題】
【０００５】
商用電源の半波を利用するゼロクロス検出手段は、全波を利用するゼロクロス検出手段に比べゼロクロスの情報量が半分になってしまうため、真のゼロクロスポイントを取り込む精度が悪くなってしまう。特に特許文献１のようにゼロクロスの消費を遮断する回路を設け、低消費のためにゼロクロス部分の信号のみを取り込もうとすると、従来ゼロクロス信号の立ち上がりと立下りの信号で取り込んでいたゼロクロス情報の片側しか取り込めなくなり、全波を利用するゼロクロス検出手段に比べ１／４の情報量となるため、ゼロクロスの検出精度が悪くなってしまう課題がある。
また、特許文献２はゼロクロスの検出精度を高めることができるが、全波を利用しなければならず、電力消費が多くなってしまう課題がある。
本発明では、商用電源の半波のみを利用する構成で、精度よく真のゼロクロスを判定することを可能とした制御装置を提供する。
【課題を解決するための手段】
【０００６】
第１の発明の態様によれば、商用電源に接続され、前記商用電源の半波を利用してゼロクロス点近傍を検出するゼロクロス検出部と、前記ゼロクロス検出部が検出したゼロクロス信号を処理する制御部と、前記制御部が処理したゼロクロス信号に同期させて、前記商用電源で作動する負荷への電力供給を制御する負荷制御部と、を備え、前記制御部は、前記ゼロクロス検出部が検出した１周期目のゼロクロス信号の立ち上がりエッジである第１のゼロクロス点と、２周期目のゼロクロス信号の立ち上がりエッジである第３のゼロクロス点と、真のゼロクロス点からゼロクロス検出部が検出した第１のゼロクロス点までの遅れ時間と、を演算することにより、真のゼロクロス点を判定することを特徴とする制御装置である。
【０００７】
第１のゼロクロス点と、第３のゼロクロス点が１周期分にあたり、その１周期から真のゼロクロス点からゼロクロス検出部が検出した第１のゼロクロス点までの遅れ時間を演算することにより、周波数が変動したとしても精度よく、真のゼロクロスを検出することができる。結果、第１の発明により、商用電源の半波のみを利用する構成で、精度よく真のゼロクロスを判定することが可能となる。
【０００８】
第２の発明の態様によれば、商用電源に接続され、前記商用電源の半波を利用してゼロクロス点近傍を検出するゼロクロス検出部と、前記ゼロクロス検出部が検出したゼロクロス信号を処理する制御部と、前記制御部が処理したゼロクロス信号に同期させて、前記商用電源で作動する負荷への電力供給を制御する負荷制御部と、を備え、前記制御部は、前記ゼロクロス検出部が検出した１周期目のゼロクロス信号の立ち上がりエッジである第１のゼロクロス点と、１周期目のゼロクロス信号の立ち下がりエッジである第２のゼロクロス点と、２周期目のゼロクロス信号の立ち上がりエッジである第３のゼロクロス点と、第１のゼロクロス点に近い真のゼロクロス点からゼロクロス検出部が検出した第１のゼロクロス点までの遅れ時間と、ゼロクロス検出部が検出した第２のゼロクロス点から第２のゼロクロス点に近い真のゼロクロス点までの遅れ時間の比と、を演算することにより、真のゼロクロス点を判定することを特徴とする制御装置である。
【０００９】
第２の発明を実施することにより、  第１のゼロクロス点と、第３のゼロクロス点が１周期分にあたり、その１周期から真のゼロクロス点からゼロクロス検出部が検出した第１のゼロクロス点までの遅れ時間を演算し、さらに１周期目のゼロクロス信号の立ち下がりエッジである第２のゼロクロス点を使い、第１のゼロクロス点と、第２のゼロクロス点との比率を演算し、より精度の高い第１のゼロクロス点までの遅れ時間を算出し、電源電圧の変動や制御部に使われている部品特性のばらつきと温度変化による特性値の変化と経年による部品特性の変化が起きたとしても精度よく、真のゼロクロスを検出することができる。結果、第２の発明により、商用電源の半波のみを利用する構成で、精度よく真のゼロクロスを判定することが可能となる。
【００１０】
第３の発明の態様によれば、商用電源に接続され、前記商用電源の半波を利用してゼロクロス点近傍を検出するゼロクロス検出部と、前記ゼロクロス検出部が検出したゼロクロス信号を処理する制御部と、前記制御部が処理したゼロクロス信号に同期させて、前記商用電源で作動する負荷への電力供給を制御する負荷制御部と、前記制御部からの制御によりゼロクロスの信号を遮断するゼロクロス遮断部と、室温を検出する室温センサ部と、を備え、前記制御部は、前記室温センサ部の信号を検出し室温情報を処理し、前記ゼロクロス検出部が検出した１周期目のゼロクロス信号の立ち上がりエッジである第１のゼロクロス点と、２周期目のゼロクロス信号の立ち上がりエッジである第３のゼロクロス点と、真のゼロクロス点からゼロクロス検出部が検出した第１のゼロクロス点までの遅れ時間とを演算し、さらに前記室温情報に基づき、真のゼロクロス点を判定することを特徴とする制御装置である。
【００１１】
第３の発明を実施することにより、ゼロクロスの消費を遮断する回路を用いて、低消費のために前記商用電源の半波のゼロクロス部分の信号のみを取り込もうとするゼロクロス検出部であったとしても、第１のゼロクロス点と、第３のゼロクロス点が１周期分にあたり、その１周期から真のゼロクロス点からゼロクロス検出部が検出した第１のゼロクロス点までの遅れ時間を演算し、さらに室温情報を用いて、より精度の高い第１のゼロクロス点までの遅れ時間を算出し、電源電圧の変動や制御部に使われている部品特性のばらつきと温度変化による特性値の変化と経年による部品特性の変化が起きたとしても、精度の高いゼロクロス信号を検出することができる。結果、第３の発明により、商用電源の半波のみを利用する構成で、精度よく真のゼロクロスを判定することが可能となる。
【発明の効果】
【００１２】
本発明によれば、本発明では、商用電源の半波のみを利用する構成で、精度よく真のゼロクロスを判定することを可能とした制御装置を提供することができる。
【図面の簡単な説明】
【００１３】
【図１】本発明の実施形態に係る制御装置を用いた衛生洗浄装置の構成を例示するブロック図である。
【図２】第１の実施例の形態を説明するタイムチャートである。
【図３】第２の実施例の形態を説明するタイムチャートである。
【図４】第３の実施例の形態を説明するタイムチャートである。
【発明を実施するための形態】
【００１４】
以下、本発明の実施形態について図面を参照して詳細に説明する。
[回路構成]
図１は、本発明の実施形態に係る制御装置を用いた衛生洗浄装置の構成を例示するブロック図である。
本実施例の制御装置６０は衛生洗浄装置８０に組み込まれる。
制御装置６０は、ＡＣ入力端子１、電源部３、ゼロクロス遮断部４、制御部５、ゼロクロス検出部６、半波整流ダイオード７、室温センサ部８、及び負荷制御部１０を備え、ＡＣ入力端子１は商用電源１００に接続される。
【００１５】
ＡＣ入力端子１に入力された商用電源は、ＡＣライン２に供給される。また電源部３、
ゼロクロス検出部６及び負荷制御部１０は、ＡＣライン２にそれぞれ接続され、商用電源が供給されている。
【００１６】
ＡＣ入力端子１から入力された商用電源は、電源部３で直流電圧、例えば、ＤＣ５Ｖに
安定化され、制御部５の電源５３として供給される。
なお、本実施例においては、電源部３と制御部５とを備えた構成を例示しているが、電源部３は、制御部５に含めて構成してもよい。
【００１７】
ゼロクロス検出部６は、ＡＣライン２に半波整流ダイオード７を介して接続される。これにより、ゼロクロス検出部６にはＡＣライン２の半波のみが入力されることになる。
【００１８】
ゼロクロス検出部６から制御部５には、検出したゼロクロス点（第１のゼロクロス点、第２のゼロクロス点、第３のゼロクロス点）の信号が入力端５６に入力される。
【００１９】
ゼロクロス遮断部４は、ＡＣライン２とゼロクロス検出部６との間に接続されていて、制御部５の出力端５４からの出力信号により制御され、ＡＣライン２とゼロクロス検出部６を遮断する。これにより、ゼロクロス遮断部４を制御している間は、ゼロクロス検出部６での電力消費をなくすことができる。しかし、ゼロクロス遮断部４を制御している間は、制御部５にゼロクロス信号は取り込まれない。
【００２０】
制御部５は、検出したゼロクロス点を基準としたタイマーカウント部（図示せず）を有する。
【００２１】
室温センサ８は、衛生洗浄装置８０が置かれている部屋の温度を検出する。その検出された信号は制御部５の入力端５２に入力される。
【００２２】
負荷制御部１０は、ＡＣライン２と接続されていて、制御部５の出力端５１からの出力信号により制御され、ＡＣ負荷１１（例えば、温水ヒータなど）に商用電源を出力する。
【００２３】
なお、本実施例の制御装置６０においては、１つの負荷制御部１０構成を例示している。しかし、本発明はこれに限定されるものではなく、任意数の負荷制御部を備えることができる。
また、図１に表した衛生洗浄装置８０は、本実施例の制御装置６０、ＡＣ負荷１１を備える。なお、衛生洗浄装置８０においても、任意数のＡＣ負荷を備えることができる。
【００２４】
制御装置６０は、ゼロクロス信号を使用してＡＣ負荷１１を負荷制御部１０により制御する。ＡＣ負荷１１をＯＮするタイミングは、ノイズ、突入電流を押さえるために商用電源のゼロクロスのタイミングでＯＮすることが望ましい。
【００２５】
そこで、ＡＣ負荷１１が商用電源のゼロクロス(真のゼロクロス)のタイミングでＯＮするように、負荷制御部１０を制御する。この真のゼロクロスのタイミングは、制御部５にて演算して求める。
【００２６】
[演算例]
以下、この演算の例を述べる。
図２は、第１の実施例を説明するタイムチャートである。図２（ａ）は、ＡＣ入力端子１に入力されるＡＣ入力を模式的に表わしている。図２（ｂ）は、ゼロクロス検出部６から制御部５に入力されるゼロクロス入力を表わしている。  図２（ｃ）は、制御部５の出力端５１からの出力信号を表わしている。図２（ｄ）は、ＡＣ負荷１１に出力される商用電源の電圧波形を表わしている。
【００２７】
第１の実施例によれば、第１のゼロクロス点をｘ、第２のゼロクロス点をｙ、第３のゼロクロス点をｚとした場合、このｘ、ｙ、ｚはゼロクロス検出部６により制御部５に数値情報として取り込まれる。
【００２８】
また、ｘと（ｘに近い側の）真のゼロクロスまでの間隔をａ、ｘから（ｙに近い側の）真のゼロクロス（ＺＸ１）までの間隔をＴ１、ｘから（ｚに近い側の）の真のゼロクロス（ＺＸ２）までの間隔をＴ２とする（図２）。ここで、Ｔ１、Ｔ２はそれぞれＴ１＝（ｚ−ｘ)／２−ａ、Ｔ２=（ｚ−ｘ）−ａであるため、あらかじめａを決めておくことで制御部５にて演算し、求めることができる。真のゼロクロスＺＸ１、ＺＸ２はそれぞれＺＸ１=ｘ＋Ｔ１、ＺＸ２=ｘ＋Ｔ２の位置となるため、制御部５にて上記演算したＴ１、Ｔ２をｘに加算することで、真のゼロクロスタイミングを特定することができる。
【００２９】
なお、Ｔ１、Ｔ２の演算のタイミングは、ＡＣ負荷駆動時のみによらず、例えば電源投入時などに演算したＴ１、Ｔ２でＡＣ負荷の制御を行うなど、任意に設定できる。また、演算の回数についても、たとえばＴ１、Ｔ２を繰り返し演算し平均化されたＴ１，Ｔ２でＡＣ負荷の制御を行うなど、任意に設定できる。
【００３０】
また、あらかじめ設定したａの値についても、商用電源電圧、商用電源周波数に応じて任意に設定できる。また、異なる商用電源に応じたａの値を任意数用意し、制御部５に格納しておくことで、異なる商用電源で使用される場合には、その商用電源に応じたａの値を設定することもできるものとする。
【００３１】
また、例えばｙ−ｘが大となる場合はａが小、ｙ−ｘが小となる場合はａが大となるようにｙ−ｘの値に応じてａを設定することもでき、ｙ−ｘの値に応じたａの値を任意数用意し、ゼロクロス検出制御部に格納しておくことで、演算されたｙ−ｘの値に応じてａの値を設定することができるものとする。
【００３２】
第１の実施例では、第１のゼロクロス点と、第３のゼロクロス点が１周期分にあたり、その１周期から真のゼロクロス点からゼロクロス検出部が検出した第１のゼロクロス点までの遅れ時間を演算することにより、周波数が変動したとしても精度よく、真のゼロクロスを検出することができる。結果、商用電源の半波のみを利用する構成で、精度よく真のゼロクロスを判定することが可能となる。
【００３３】
図３は、第２の実施例の形態を説明するタイムチャートである。図３（ａ）は、ＡＣ入力端子１に入力されるＡＣ入力を模式的に表わしている。図３（ｂ）は、ゼロクロス検出部６から制御部５に入力されるゼロクロス入力を表わしている。  図３（ｃ）は、制御部５の出力端５１からの出力信号を表わしている。図３（ｄ）は、ＡＣ負荷１１に出力される商用電源の電圧波形を表わしている。
【００３４】
第２の実施例によれば、第１のゼロクロス点をｘ、第２のゼロクロス点をｙ、第３のゼロクロス点をｚとした場合、このｘ、ｙ、ｚはゼロクロス検出部６により制御部５に数値情報として取り込まれる。
【００３５】
また、ｘと（ｘに近い側の）真のゼロクロスまでの間隔をａ、ｙから（ｙに近い側の）真のゼロクロス（ＺＸ１）までの間隔をＴ３、ｙから（ｚに近い側の）真のゼロクロス（ＺＸ２）までの間隔をＴ４とする（図３）。ここで、ａ、Ｔ３は周辺回路定数により ａ=βＴ３ の関係性を持つため、あらかじめβ値を設定しておくことによりＴ３=｛（ｚ−ｘ）／２−（ｙ−ｘ）｝／（１＋β）と定義できる。Ｔ４＝Ｔ３＋（ｚ−ｘ）／２より、真のゼロクロスＺＸ１、ＺＸ２はそれぞれＺＸ１=ｙ＋Ｔ３、ＺＸ２＝ｙ＋Ｔ４の位置となるため、制御部５にて上記演算したＴ３、Ｔ４をｙに加算することで、真のゼロクロスタイミングを特定することができる。
【００３６】
なお、Ｔ３、Ｔ４の演算のタイミングは、ＡＣ負荷駆動時のみによらず、例えば電源投入時などに演算したＴ３、Ｔ４でＡＣ負荷の制御を行うなど、任意に設定できる。また、演算の回数についても、たとえばＴ３、Ｔ４を繰り返し演算し平均化されたＴ３，Ｔ４でＡＣ負荷の制御を行うなど、任意に設定できる。
【００３７】
また、あらかじめ設定したβの値についても、商用電源電圧、商用電源周波数に応じて任意に設定できる。また、異なる商用電源に応じたβの値を任意数用意し、ゼロクロス検出制御部に格納しておくことで、異なる商用電源で使用される場合には、その商用電源に応じたβの値を設定することもできるものとする。
【００３８】
また、ｙ−ｘの値に応じてβを設定することもでき、ｙ−ｘの値に応じたβの値を任意数用意し、ゼロクロス検出制御部に格納しておくことで、演算されたｙ−ｘの値に応じてβの値を設定することができるものとする。
【００３９】
第２の実施例では、第１のゼロクロス点と、第３のゼロクロス点が１周期分にあたり、その１周期から真のゼロクロス点からゼロクロス検出部が検出した第１のゼロクロス点までの遅れ時間を演算し、さらに１周期目のゼロクロス信号の立ち下がりエッジである第２のゼロクロス点を使い、第１のゼロクロス点と、第２のゼロクロス点との比率を演算し、より精度の高い第１のゼロクロス点までの遅れ時間を算出し、電源電圧の変動や制御部に使われている部品特性のばらつきと温度変化による特性値の変化と経年による部品特性の変化が起きたとしても精度よく、真のゼロクロスを検出することができる。結果、商用電源の半波のみを利用する構成で、精度よく真のゼロクロスを判定することが可能となる。
【００４０】
図４は、第３の実施例の形態を説明するタイムチャートである。図４（ａ）は、ＡＣ入力端子１に入力されるＡＣ入力を模式的に表わしている。図４（ｂ）は、ゼロクロス検出部６から制御部５に入力されるゼロクロス入力を表わしている。  図４（ｃ）は、制御部５の出力端５１からの出力信号を表わしている。図４（ｄ）は、ＡＣ負荷１１に出力される商用電源の電圧波形を表わしている。図４（ｅ）は、制御部５の出力端５４からの出力信号を表している。
【００４１】
第３の実施例によれば、第１のゼロクロス点をｘ、第３のゼロクロス点をｚとした場合、このｘ、ｚはゼロクロス検出部６により制御部５に数値情報として取り込まれる。
【００４２】
また、ゼロクロス遮断信号は制御部５に第１のゼロクロス点ｘの入力をトリガーとして出力する。そして、ｚ−ｘより短い間隔をＴ７とし、ゼロクロス遮断信号を出力してから、Ｔ７経過した後ＯＦＦする。
【００４３】
また、ｘと（ｘに近い側の）真のゼロクロスまでの間隔をａ、ｘの次にくる真のゼロクロス（ＺＸ１）までの間隔をＴ５、ｘから（ｚに近い側の）の真のゼロクロス（ＺＸ２）までの間隔をＴ６とする（図４）。ここで、Ｔ５、Ｔ６はそれぞれＴ５＝（ｚ−ｘ)／２−ａ、Ｔ６=（ｚ−ｘ）−ａであるため、あらかじめａを決めておくことで制御部５にて演算し、求めることができる。真のゼロクロスＺＸ１、ＺＸ２はそれぞれＺＸ１=ｘ＋Ｔ５、ＺＸ２=ｘ＋Ｔ６の位置となるため、制御部５にて上記演算したＴ５、Ｔ６をｘに加算することで、真のゼロクロスタイミングを特定することができる。
【００４４】
なお、Ｔ５、Ｔ６の演算のタイミングは、ＡＣ負荷駆動時のみによらず、例えば電源投入時などに演算したＴ５、Ｔ６でＡＣ負荷の制御を行うなど、任意に設定できる。また、演算の回数についても、たとえばＴ５、Ｔ６を繰り返し演算し平均化されたＴ５，Ｔ６でＡＣ負荷の制御を行うなど、任意に設定できる。
【００４５】
また、あらかじめ設定したａの値についても、商用電源電圧、商用電源周波数に応じて任意に設定できる。また、異なる商用電源に応じたａの値を任意数用意し、制御部５に格納しておくことで、異なる商用電源で使用される場合には、その商用電源に応じたａの値を設定することもできるものとする。
【００４６】
また、制御部５に格納されたａの値について、温度センサ部から入力端子５２を通して制御部５に入力される温度情報に応じた補正係数θを用意し、制御部５で演算することで、衛生洗浄装置８０が置かれている部屋の温度変化により周辺回路の温度特性でａの値が変化しても補正できるものとする。このようにすることで、ゼロクロス信号を遮断しつつ、制度のよいゼロクロス信号を検出することができる。
【００４７】
第３の実施例では、ゼロクロスの消費を遮断する回路を用いて、低消費のために前記商用電源の半波のゼロクロス部分の信号のみを取り込もうとするゼロクロス検出部であったとしても、第１のゼロクロス点と、第３のゼロクロス点が１周期分にあたり、その１周期から真のゼロクロス点からゼロクロス検出部が検出した第１のゼロクロス点までの遅れ時間を演算し、さらに室温情報を用いて、より精度の高い第１のゼロクロス点までの遅れ時間を算出し、電源電圧の変動や制御部に使われている部品特性のばらつきと温度変化による特性値の変化と経年による部品特性の変化が起きたとしても、精度の高いゼロクロス信号を検出することができる。結果、商用電源の半波のみを利用する構成で、精度よく真のゼロクロスを判定することが可能となる。
【００４８】
１…ＡＣ入力端子、２…ＡＣライン、３…電源部、４…ゼロクロス遮断部、５…制御部、６…ゼロクロス検出部、７…半波整流ダイオード、８…室温センサ部、１０…負荷制御部、１１…ＡＣ負荷、６０…制御装置、８０…衛生洗浄装置
【図１】
2014182687.tif 000003
【図２】
2014182687.tif 000004
【図３】
2014182687.tif 000005
【図４】
2014182687.tif 000006